(57)【要約】      （修正有）【課題】排泄物の自動回収の過程で要介護者の排泄の回数を計数したり要介護者の各排泄物の重量を計測したりすることができる排泄物集中処理システムを提供する。【解決手段】便排出部及びその周辺又は尿排出部及びその周辺を覆うように装着されるレシーバー部１、排便又は排尿を検知するための排便等検知手段２、排泄物を蓄積しておくための排泄物タンク３、排泄物を前記蓄積タンクに吸引するための吸引手段４、洗浄水を溜めておくための洗浄水タンク５、便排出部又は尿排出部に洗浄水を供給するための洗浄水供給手段６ａ、乾燥用の温風を前記便排出部及びその周辺又は尿排出部及びその周辺に供給するための温風供給手段７、１日又は所定単位時間の中で排便又は排尿が行われた回数を記録するための回数記録手段２４、及び、排便又は排尿が行われたときの各排便又は排尿された排泄物の重量を計測し記録するための重量計測記録手段２４など、を備えたものである。【選択図】    図１
2004329715.tif 000002
【特許請求の範囲】
【請求項１】
要介護者の便排出部及びその周辺又は尿排出部及びその周辺を覆うように装着されるレシーバー部と、
要介護者の排便又は排尿を検知するための排便等検知手段と、
要介護者の排泄物を蓄積しておくための排泄物タンクと、
要介護者の排便又は排尿が行われているとき、要介護者の排泄物を前記レシーバー部と接続された第１のパイプを介して前記排泄物タンクに吸引するための吸引手段と、
洗浄水を所定温度に加温された状態で溜めておくための洗浄水タンクと、
要介護者の排便又は排尿が行われているとき又はその後に、要介護者の便排出部又は尿排出部に向けて、前記洗浄水タンクからの洗浄水を前記レシーバー部と接続された第２のパイプを介して供給するための洗浄水供給手段と、
前記洗浄水の供給の後に、乾燥用の温風を前記レシーバー部と接続された第３のパイプを介して前記便排出部及びその周辺又は尿排出部及びその周辺に供給するための温風供給手段と、
１日又は所定単位時間内での、要介護者の排便又は排尿が行われた回数を記録するための回数記録手段と、
要介護者の排便又は排尿が行われたとき、その各排便又は排尿された排泄物の重量を計測し記録するための重量計測記録手段と、
を備えたことを特徴とする排泄物自動回収処理装置。
【請求項２】
請求項１において、
前記重量計測記録手段は、
前記排泄物タンクの重量を計測するための第１の重量センサと、
前記洗浄水タンクの重量を計測するための第２の重量センサと、
前記第１及び第２の重量センサからの出力により得られる、要介護者の排便又は排尿が行われた前と後とにおける前記排泄物タンクの重量のデータと、要介護者の排便又は排尿が行われた前と後とにおける前記洗浄水タンクの重量のデータとに基づいて、前記各排便又は排尿された排泄物の重量を算出するための重量算出手段と、を含むものである、ことを特徴とする排泄物自動回収処理装置。
【請求項３】
請求項１又は２において、
前記洗浄水を供給するための第２のパイプと前記温風を供給するための第３のパイプとの間を接続する第４のパイプと、
前記第４のパイプを開閉するための開閉弁と、
前記温風供給手段からの温風が前記第３のパイプの中を流れているとき、前記開閉弁を所定時間だけ開放させて、前記第３のパイプの中を流れている温風の一部を前記第４のパイプを介して前記第２のパイプの中に送り込み、これにより前記第２のパイプの中に残留している洗浄水を要介護者の便排出部又は尿排出部の方に押し出すための開閉制御手段と、を備え、
通常は前記第２のパイプの中には洗浄水がほとんど又は少量しか存在しないようにして、次回の排便又は排尿が開始されたときに、前記第２のパイプの中に残存している冷たい洗浄水が要介護者の便排出部又は尿排出部に供給されて要介護者に不快感を抱かせることを防止するようにした、ことを特徴とする排泄物自動回収処理装置。
【請求項４】
請求項１，２又は３において、
要介護者の排泄物を前記排泄物タンクに吸引するための第１のパイプの途中に備えられ前記第１のパイプの目詰まりを検出するための目詰まりセンサと、
前記目詰まりセンサからの信号に基づいて前記第１のパイプが目詰まりしたことを外部に送信するか又は報知するための警報手段と、
を備えたことを特徴とする排泄物自動回収処理装置。
【請求項５】
請求項１から４までのいずれかにおいて、
前記蓄積タンクには、その底部に形成されており通常は閉じられている穴と、ユーザーのワンタッチ操作により前記穴を開放させて前記穴から蓄積された排泄物を外部に排出させるための開放機構と、が備えられていることを特徴とする排泄物自動回収処理装置。
【請求項６】
多数の要介護者の便排出部及びその周辺又は尿排出部及びその周辺を覆うように、各要介護者毎に装着されるレシーバー部と、
各要介護者の排便又は排尿をそれぞれ検知するための排便等検知手段と、
施設の一箇所又は数箇所に備えられ、各要介護者が排便又は排尿した排泄物を前記各ヘッド部と接続された各パイプを介して回収し集中的に蓄積するための大型排泄物タンクと、
施設の一箇所又は数箇所に備えられ、要介護者の排泄物を前記各レシーバー部と接続された各パイプを介して前記大型排泄物タンク内に集中的に吸引するための集中吸引手段と、
施設の一箇所又は数箇所に備えられ、各要介護者の便排出部及びその周辺又は尿排出部及びその周辺に供給される洗浄水を集中的に蓄積しておくための大型洗浄水タンクと、
各要介護者の排便又は排尿が行われているとき又はその後に、その要介護者の便排出部又は尿排出部に向けて、前記大型洗浄水タンクからの洗浄水を前記各ヘッド部と接続された各パイプを介して供給するための洗浄水供給手段と、
施設の一箇所又は複数箇所に備えられ、各要介護者の便排出部及びその周辺又は尿排出部及びその周辺に向けて、洗浄後の乾燥用の温風を、前記各レシーバー部と接続されたパイプを介して供給するための温風供給手段と、
を備えたことを特徴とする排泄物集中処理システム。
【発明の詳細な説明】
【０００１】
【発明の属する技術分野】
本発明は、病院、老人福祉施設、又は身障者福祉施設などにおいて自力で排泄が不可能又は困難な要介護者の排泄物を自動的・強制的に回収し処理するための排泄物自動回収処理装置及び排泄物集中処理システムに関する。
【０００２】
【従来の技術】
従来より、寝たきり状態の病人や老人の排泄物を自動的に処理するようにした排泄物自動回収処理装置が提案されている（例えば、特許文献１，２，３参照）。
【特許文献１】
特開平６−９０９８４号公報
【特許文献２】
特開平８−２５７０７３号公報
【特許文献３】
特開平６−５４８７４号公報
【０００３】
【発明が解決しようとする課題】
しかしながら、従来の排泄物自動回収処理装置では、単に排泄物を回収し処理するだけで、排泄物の自動回収の過程で要介護者の排泄の回数を計数したり、要介護者の各排泄物の重量を計測したりすることはできなかった。
【０００４】
また、従来の排泄物自動回収処理装置では、排便又は排尿が行われた後又はその最中に、洗浄水タンク内で加温された暖かい洗浄水を供給するようにしているが、実際には、パイプの中に残留した冷たい洗浄水が先に供給されてしまうため、要介護者に不快感を与えてしまうという問題があった。
【０００５】
また、従来の排泄物自動回収処理装置では、排泄物を排泄物タンクに吸引するとき、途中のパイプに目詰まりが発生しても何らの対処も為されず、目詰まりで吸引ができないためにレシーバー部から排泄物が漏れ出てしまうという問題があった。
【０００６】
また、従来の排泄物自動回収処理装置では、排泄物を蓄積しておく排泄物タンクを定期的に装置本体から取り外して、その中身の排泄物をトイレなどに排出する必要があるが、その排出作業時に作業者の手などが排泄物で汚れてしまうという問題があった。
【０００７】
さらに、従来の排泄物自動回収処理装置では、個々の要介護者毎にそれぞれ排泄物タンク又は洗浄水タンクなどを備えておく必要があるので、特に要介護者の数が多い施設では、排泄物自動回収処理装置の設置や保守のトータル・コストが増大してしまうという問題があった。
【０００８】
本発明はこのような従来技術の問題点に着目してなされたものであって、単に排泄物を回収し処理するだけでなく、排泄物の自動回収の過程で要介護者の排泄の所定単位時間内における回数を計数したり、要介護者の各排泄物の重量を計測したりすることができる排泄物自動回収処理装置を提供することを目的とする。
【０００９】
また、本発明は、排便又は排尿が行われた後又はその最中に、パイプの中に残留している冷たい洗浄水を供給して要介護者に不快感を与えてしまうことを防止することができる排泄物自動回収処理装置を提供することを目的とする。
【００１０】
また、本発明は、排泄物を排泄物タンクに吸引するとき、途中のパイプに目詰まりが発生したら、そのことを検出してその場又は遠隔に居る介護者などに警報を発することができる排泄物自動回収処理装置を提供することを目的とする。
【００１１】
また、本発明は、排泄物を蓄積しておく排泄物タンクを定期的に装置から取り出してその中身の排泄物を排出する作業を行うとき、作業者の手などが排泄物で汚れてしまうことを防止することができる排泄物自動回収処理装置を提供することを目的とする。
【００１２】
さらに、本発明は、個々の要介護者毎にそれぞれ排泄物タンク又は洗浄水タンクなどを備えておく必要がなく、特に要介護者の数が多い施設での設置及び保守のトータル・コストを大幅に低減させることができる排泄物集中処理システムを提供することを目的とする。
【００１３】
【課題を解決するための手段】
このような従来技術の課題を解決するための本発明による排泄物自動回収処理装置は、要介護者の便排出部及びその周辺又は尿排出部及びその周辺を覆うように装着されるレシーバー部と、要介護者の排便又は排尿を検知するための排便等検知手段と、要介護者の排泄物を蓄積しておくための排泄物タンクと、要介護者の排便又は排尿が行われているとき、要介護者の排泄物を前記レシーバー部と接続された第１のパイプを介して前記排泄物タンクに吸引するための吸引手段と、洗浄水を所定温度に加温された状態で溜めておくための洗浄水タンクと、要介護者の排便又は排尿が行われているとき又はその後に、要介護者の便排出部又は尿排出部に向けて、前記洗浄水タンクからの洗浄水を前記レシーバー部と接続された第２のパイプを介して供給するための洗浄水供給手段と、前記洗浄水の供給の後に、乾燥用の温風を前記レシーバー部と接続された第３のパイプを介して前記便排出部及びその周辺又は尿排出部及びその周辺に供給するための温風供給手段と、１日又は所定単位時間の中で、要介護者の排便又は排尿が行われた回数を記録するための回数記録手段と、要介護者の排便又は排尿が行われたとき、その各排便又は排尿された排泄物の重量を計測し記録するための重量計測記録手段と、を備えたことを特徴とするものである。
【００１４】
また、本発明の排泄物自動回収処理装置においては、前記重量計測記録手段は、前記排泄物タンクの重量を計測するための第１の重量センサと、前記洗浄水タンクの重量を計測するための第２の重量センサと、前記第１及び第２の重量センサからの出力により得られる、要介護者の排便又は排尿が行われた前と後とにおける前記排泄物タンクの重量のデータと、要介護者の排便又は排尿が行われた前と後とにおける前記洗浄水タンクの重量のデータとに基づいて、前記各排便又は排尿された排泄物の重量を算出するための重量算出手段と、を含むものである、ことが望ましい。
【００１５】
また、本発明の排泄物自動回収処理装置においては、前記洗浄水を供給するための第２のパイプと前記温風を供給するための第３のパイプとの間を接続する第４のパイプと、前記第４のパイプを開閉するための開閉弁と、前記温風供給手段からの温風が前記第３のパイプの中を流れているとき、前記開閉弁を所定時間だけ開放させて、前記第３のパイプの中を流れている温風の一部を前記第４のパイプを介して前記第２のパイプの中に送り込み、これにより前記第２のパイプの中に残留している洗浄水を要介護者の便排出部又は尿排出部の方に押し出すための開閉制御手段と、を備え、通常は前記第２のパイプの中には洗浄水がほとんど又は少量しか存在しないようにして、次回の要介護者の排便又は排尿が開始されたときに、前記第２のパイプの中に残存している冷たい洗浄水が要介護者の便排出部又は尿排出部に供給されて要介護者に不快感を抱かせることを防止するようにした、ことが望ましい。
【００１６】
また、本発明の排泄物自動回収処理装置においては、要介護者の排泄物を前記排泄物タンクに吸引するための第１のパイプの途中に備えられ前記第１のパイプの目詰まりを検出するための目詰まりセンサと、前記目詰まりセンサからの信号に基づいて前記第１のパイプが目詰まりしたことを外部に送信するか又は報知するための警報手段と、を備えたことが望ましい。
【００１７】
また、本発明の排泄物自動回収処理装置においては、前記排泄物タンクには、その底部に形成されており通常は閉じられている穴と、ユーザーのワンタッチ操作により前記穴を開放させて前記穴から蓄積された排泄物を外部に排出させるための開放機構と、が備えられていることが望ましい。
【００１８】
さらに、本発明の排泄物集中処理システムは、多数の要介護者の便排出部及びその周辺又は尿排出部及びその周辺を覆うように、それぞれ装着されるレシーバー部と、多数の要介護者の排便又は排尿をそれぞれ検知するための排便等検知手段と、施設の一箇所又は数箇所に備えられ、各要介護者が排便又は排尿した排泄物を前記各レシーバー部と接続された各パイプを介して回収し集中的に蓄積するための大型排泄物タンクと、施設の一箇所又は数箇所に備えられ、要介護者の排泄物を前記各レシーバー部と接続された各パイプを介して前記大型排泄物タンク内に集中的に吸引するための集中吸引手段と、施設の一箇所又は数箇所に備えられ、各要介護者の便排出部及びその周辺又は尿排出部及びその周辺に供給される洗浄水を集中的に蓄積しておくための大型洗浄水タンクと、各要介護者の排便又は排尿が行われているとき又はその後に、その要介護者の便排出部又は尿排出部に向けて、前記大型洗浄水タンクからの洗浄水を前記各レシーバー部と接続された各パイプを介して供給するための洗浄水供給手段と、施設の一箇所又は数箇所に備えられ、各要介護者の便排出部又は尿排出部及びその周辺に向けて、洗浄後の乾燥用の温風を、前記各レシーバー部と接続されたパイプを介して供給するための温風供給手段と、を備えたことを特徴とするものである。
【００１９】
【発明の実施の形態】
（実施形態１）  図１は本発明の実施形態１による排泄物自動回収処理装置の構成を示す概略ブロック図である。図１において、１は要介護者の便排出部又は尿排出部及びそれらの周辺を覆うように装着されたレシーバー部、２はレシーバー部１内に備えられ要介護者の排便又は排尿の開始を検出するための排泄センサ、３は要介護者の排泄物を蓄積しておくための排泄物タンク、４は前記ヘッド部１内と前記排泄物タンク３とを接続するパイプ、５は洗浄水を溜めておくための洗浄水タンク、６ａは前記洗浄水タンク５の下方部分（洗浄水が存在する部分）と前記レシーバー部１の便排出部の近傍部分とを接続するパイプ、６ｂは前記洗浄水タンク５の下方部分と前記レシーバー部１の尿排出部の近傍部分とを接続するパイプ、７は前記洗浄水タンク５の上方部分（洗浄水が入っていない部分）と前記ヘッド部１内とを接続するパイプ、である。
【００２０】
また、図１において、５ａは前記洗浄水タンク５内の洗浄水の水面が所定の水位より低いときに警告信号を出力するためのフロートスイッチ、５ｂは前記洗浄水タンク５内の洗浄水の温度を検出するためのサーミスタ、５ｃは前記洗浄水タンク５内の洗浄水を所定温度に加温するためのヒータ、である。
【００２１】
また、図１において、８は前記蓄積タンク３及び前記洗浄水タンク５との間に後述のパイプ１４，１５を介して設けられたブロワモータ、１４はブロワモータ８と排泄物タンク３とを接続するパイプ、１５はブロワモータ８と洗浄水タンク５（洗浄水タンク５の上方空間＝洗浄水が入っていない部分）とを接続するためのパイプ、である。
【００２２】
また、図１において、９は前記パイプ７の途中部分に介設された電磁弁、１０ａ，１０ｂはそれぞれ前記各パイプ６ａ，６ｂの途中部分にそれぞれ介設された電磁弁、１１は前記排泄物タンク３の重量を測定するためのひずみセンサなどで構成されたデジタル重量計、１２は前記洗浄水タンク５の重量を測定するためのひずみセンサなどで構成されたデジタル重量計、である。
【００２３】
また、図１において、１３は前記の排泄物タンク３とブロワモータ８との間を接続するパイプ１４の途中部分に備えられた目詰まりセンサである。この目詰まりセンサ１３は、例えば、前記パイプ１４内の圧力を検出し、その検出した圧力が所定値よりも所定レベル以上低いとき、目詰まりが発生したことを示す信号を出力するものである。
【００２４】
また、図１において、１７は前記パイプ７と前記パイプ６ａ（より詳しくは、前記パイプ６ａの中の前記電磁弁１０ａと前記レシーバー部１との間の部分）とを接続するためのパイプ、１８はこのパイプ１７の途中部分に介設された電磁弁、である。
【００２５】
また、図１において、２０はマイクロコンピュータなどで構成される制御部、２１は制御部２０にユーザー（介護者など）が所定の指示情報を入力するためのリモコン（リモートコントローラ）、２２は電源コンセント、２３は介護者が従事する事務室（病院のナース・ステーションなどを含む）に設置され前記制御部２０からの情報を表示するための遠隔表示器、２４は介護者が従事する事務室（病院のナースセンターを含む）に設置され前記制御部２０からの情報を記録するためのハードディスクなどで構成される記録装置、２６は日時情報を発生して制御部２０に入力するための計時部、である。
【００２６】
本実施形態１では、図１の破線２７で囲まれた部分が装置本体として例えば箱型の筐体に収容されている。そして、前記の各パイプ４，６ａ，６ｂ，７の一部が、この筐体から外部に突出し、要介護者に装着されるレシーバー部１と接続されている。
【００２７】
また、本実施形態１では、図１の排泄センサ２、フロートスイッチ５ａ、サーミスタ５ｂ、重量センサ１１，１２、目詰まりセンサ１３、及び、リモコン２１からの信号は、リアルタイムに制御部２０に入力される。制御部２０は、これらの入力された信号に基づいて、ブロワモータ８、各電磁弁９，１０ａ，１０ｂ，１８、遠隔表示器２３、又は記録装置２４を制御する。
【００２８】
次に、図２は本実施形態１の排泄物タンク（排泄物タンク）３の構成を示す概略図である。図２において、３１はレシーバー部１からの排泄物を吸引する前記パイプ４と接続する接続部、３２は吸引した排泄物を収容しておく収容部、３３は排泄物タンク３の底部に形成された穴、３４はこの穴３３を密閉するための栓、３５は排泄物タンク３を片手で持つための取っ手、３６はこの取っ手３５の下方に支点３６ａを介して図示上下方向に回動自在に設けられた支持部、３７はこの支持部３６と前記栓３４とを連結する支持棒、３８は前記支持部３６を常時図示下方に付勢するためのスプリング、３９は前記支持棒３７を図示上下方向に移動可能に支持するための支持枠である。
【００２９】
図２において、前記支持部３６は、介護者などが取っ手３６を片手で持ちながら、その片手で（スプリング３８の力に抗して）ワンタッチで引き上げることができるようになっている。このように、介護者などが前記支持部３６を片手で引き上げたときは、スプリング３８が圧縮されて栓３４が上昇する。この栓３４が上昇すると、穴３３が開放され、この穴３３から内部の排泄物が外部に排出される。このように、本実施形態１では、介護者などが片手でのワンタッチ操作（片手で前記取っ手３５を持ちながら前記支持部３６を引き上げること）を行うだけで前記栓３４を上昇させ穴３３を開放させて排泄物を排出させることができるので、排泄物を排泄物タンク３から排出する作業中に介護者などの作業者の手などを排泄物で汚すことがなくなる。
【００３０】
次に、本実施形態１の動作を説明する。今、要介護者が排便又は排尿を開始したときは、排泄センサ２からそのことを示す信号が制御部２０に送信される。制御部２０は、この信号を受けて、ブロワモータ８を作動させると共に、通常は閉となっている前記電磁弁１０ａ又は１０ｂを開にする。ブロワモータ８が作動を開始すると、レシーバー部１の内部が負圧になるので、レシーバー部１の外周縁部が要介護者の体表面に密着し、排泄物がレシーバー部１から漏れ出ることが防止される。また、ブロワモータ８が作動されることにより、レシーバー部１内の排泄物がパイプ４を介して排泄物タンク３内に吸引される。また、ブロワモータ８からの空気が洗浄水タンク５の上部空間（洗浄水の入っていない空間）に供給され、洗浄水タンク５内の洗浄水を洗浄水タンク５から押し出すので、洗浄水がパイプ１０ａ又は１０ｂを介してレシーバー部１内の要介護者の便排出部又は尿排出部に排出される。
【００３１】
また、本実施形態１では、前記の要介護者の便排出部に対向するパイプ６ａの先端部分は径が細くなっており、このパイプ６ａの先端から放出される洗浄水はジェット水流のように勢いよく放出される。そのため、排出された大便が固い場合でも、大便がこのジェット水流により砕かれて細かくなるので、大便は前記パイプ４を容易に通過できるようになる。なお、本実施形態１では、前記ブロワモータ８を作動させてから所定時間が経過してから前記電磁弁１０ａ又は１０ｂを開にするように（すなわち、前記吸引動作が開始されて所定時間が経過してから洗浄水の供給動作を開始するように）してもよい。
【００３２】
前記の洗浄水の供給が所定時間行われた後は、制御部２０は、電磁弁１０ａ，１０ｂを閉にして、洗浄水の供給を停止・終了する。そして、制御部２０は、通常は閉となっている電磁弁９を開にする。すると、ブロワモータ８からの空気は、まず洗浄水タンク５の上方空間（洗浄水が入っていない空間）に送られてそこで洗浄水（ヒータ５ｃで加温されている）からの熱で加温され、この加温された温風が、パイプ７を介して、レシーバー部１内に供給され、要介護者の体表面を乾燥させる。
【００３３】
また、前記の電磁弁１０ａ又は１０ｂを閉にして洗浄水の供給を終了させた後であって電磁弁９を開にして温風の供給を開始した後（又は洗浄水の供給を終了させた後であって温風の供給が開始される前でもよい）、制御部２０は、通常は閉となっている電磁弁１８を所定時間だけ開にする。これにより、ブロワモータ８から洗浄水タンク５を介してパイプ７に送られてくる温風は、レシーバー部１内に供給されるだけでなく、前記パイプ１７を介してパイプ６ａ（パイプ６ａの中の電磁弁１０ａとレシーバー部１との間の部分）にも供給される。このパイプ６ａに供給される温風により、パイプ６ａ（パイプ６ａの中の電磁弁１０ａとレシーバー部１との間の部分）内に残留している洗浄水がレシーバー部１の方に押し出されて、パイプ６ａ（パイプ６ａの中の電磁弁１０ａとレシーバー部１との間の部分）内には洗浄水が残留しないようになる。これにより、次回の排便又は排尿のときに、パイプ６ａ（パイプ６ａの中の電磁弁１０ａとレシーバー部１との間の部分）の中に残留した冷たい洗浄水がまずレシーバー部１内に供給されて要介護者に不快感を与えてしまうことが防止される。
【００３４】
また、本実施形態１では、前記排泄センサ２から制御部２０に排便又は排尿の開始を示す信号が出力されたとき、制御部２０は、その日の排便又は排尿の回数の累計を「＋（プラス）１」して記録装置２４に記録すると共に、その開始時の日時データを計時部２６から取得して記録装置２４に記録する。このように、本実施形態１では、毎日における要介護者の排便又は排尿の回数とそれらの日時が随時記録されるので、それらのデータを使用して介護者や医療担当者などが要介護者の健康状態を分析できるようになる。
【００３５】
また、本実施形態１では、前記排泄センサ２から制御部２０に排便又は排尿の開始を示す信号が出力されたとき、制御部２０は、その時点での排泄物タンク３の重量データ（前記重量計１１からの出力）と洗浄水タンク５の重量データ（前記重量計１２からの出力）を記憶すると共に、前記の排便又は排尿に伴う洗浄水の供給が終了した時点での排泄物タンク３の重量データ（前記重量計１１からの出力）と洗浄水タンク５の重量データ（前記重量計１２からの出力）を記憶する。そして、前記制御部２０は、これらのデータ、すなわち、排泄物タンク３及び洗浄水タンク５の排便又は排尿の前後の重量の変化のデータに基づいて、各排便又は排尿による排泄物の重量を算出する（すなわち、今回の排便又は排尿による蓄積タンク３の重量の増加分と今回の洗浄水供給による洗浄水タンク５の重量の減少分との差が、今回の排便又は排尿による排泄物の重量となる）。そして、制御部２０は、このようにして算出した各排便又は排尿による排泄物の重量を、各要介護者の各排便又は排尿毎に、その日時データと関連付けて記録装置２４に記録していく。このように、本実施形態１では、要介護者による各排便又は排尿による排泄物の重量が随時記録されるので、それらのデータを使用して介護者や医療担当者などが要介護者の健康状態を分析できるようになる。
【００３６】
また、本実施形態１では、前記ブロワモータ８による排泄物の吸引が行われているとき、目詰まりセンサ１３がパイプ１４内の圧力状況を監視し、パイプ１４内の負圧が所定の値よりも低くなったとき、目詰まりが発生したことを示す信号を制御部２０に送信する。制御部２０は、目詰まりセンサ１３からの信号が入力されたときは、目詰まりが発生したことを遠隔表示器２３に表示すると共にメロディなどの音響を出力して、排泄物がレシーバー部１から漏れ出てしまう恐れがあることを介護者などに警告する。
【００３７】
また、前記排泄物タンク３は、装置本体２７に対して着脱自在なカートリッジ式の構成となっている。この排泄物タンク３は、例えば１日又は数日に一回のペースで介護者が内部の排泄物を排出する必要がある。この場合は、介護者は、片手で図２の取っ手３５を持って排泄物タンク３を装置本体２６から引き抜き、それを例えばトイレなどに持っていって、そこで、図２の取っ手３５を持っている片手で支持部３６を引き上げて、栓３４を上昇させて穴３３を開放させることにより、穴３３から内部の排泄物を外部に排出させる。このように、本実施形態１では、介護者は、排泄物タンク３内の排泄物を排出するための作業を行うに際して、片手のみのワンタッチ操作（前記支持部３６の引き上げ動作）のみで排出作業を完了することができ、排出作業を効率化でき、また排出作業中に介護者の手が汚れてしまうことが無くなる。
【００３８】
（実施形態２）  次に、図３及び図４を参照して本発明の実施形態２による排泄物集中管理システムを説明する。本実施形態２は、例えば病院、老人介護施設などの比較的大型の施設に設置することを予定されている。
【００３９】
図３及び図４において、４１は、排泄物蓄積する排泄物タンク、洗浄水を溜めておく洗浄水タンク、温風を供給するためのブロワモータ、これらを接続するパイプ、及びこれらを制御するための制御部などを含む吸引タンクユニット本体である。この吸引タンクユニット本体４１は、施設の中の１箇所（複数個所でもよい）に備えられている。そのため、この吸引タンクユニット本体４１を構成する前記の排泄物タンク、洗浄水タンク、ブロワモータなどは、多数人の排泄物を回収できるように、また、多数人の要介護者の便排出部又は尿排出部及びその周辺を洗浄し乾燥できるように、大型のサイズのものが採用されている。なお、吸引タンクユニット本体４１の内部を構成する個々のタンク等の部品については、図１について説明したものとサイズの点などを除いてほぼ同様であるので、詳しい説明は省略する。
【００４０】
また、図３及び図４において、４２ａ，４２ｂ，４２ｃは患者などの要介護者のベッド、４３ａ，４３ｂ，４３ｃは各要介護者の便排出部又は尿排出部及びその周辺に装着するレシーバー部である。前記レシーバー部４３ａ，４３ｂ，４３ｃの構成は図１において説明したレシーバー部とほぼ同様であるので説明を省略する。
【００４１】
本実施形態２においては、前記吸引タンクユニット本体４１は、前記の各レシーバー部４３ａ，４３ｂ，４３ｃとパイプ状通路４４を介して接続されている。このパイプ状通路４４には、後述する複数のパイプ５５，５６，５７が挿入されている。また、図３において、符号４５は多数の要介護者を数人ごとのグループに分けて滞在させるための部屋を構成する壁である。
【００４２】
次に、前記パイプ状通路４４の中を通っている複数のパイプ（前記吸引タンクユニット本体４１と前記レシーバー部４３ａ，４３ｂ，４３ｃとを接続するためのパイプ）の構成を、図４を参照して説明する。
【００４３】
図４において、５０は部屋の壁４５の壁面に備えられたジョイント、５１はこのジョイント５０に備えられた排泄物吸引用の吸込口、５２ａ，５２ｂは前記ジョイント５０に備えられた洗浄水供給用の洗浄水出口、５３は前記ジョイント５０に備えられた乾燥用空気（温風）供給用の乾燥用空気出口である。前記ジョイント５０は、各要介護者のレシーバー部毎に、それぞれと対応するように設置されている。
【００４４】
また、図４において、５４は前記吸引タンクユニット本体４１側の排泄物吸引用の吸込口と前記ジョイント５０側の吸込口５１とを接続するパイプ、５５は前記吸引タンクユニット本体４１側の洗浄水供給用の洗浄水出口と前記ジョイント５０側の洗浄水出口５２ａ，５２ｂとを接続するためのパイプ、５６は前記吸引タンクユニット本体４１側の乾燥用空気（温風）供給用の乾燥用空気出口と前記ジョイント５０側の乾燥用空気出口５３とを接続するためのパイプ、である。また、図４に示すように、前記各パイプ５４，５５，５６は、各要介護者のヘッド部と対応する各ジョイント５０にそれぞれ接続するように途中で分岐されている。なお、前記パイプ５５は、各ジョイント５０に接続するために途中で分岐されるとき、２つのパイプ５５ａ，５５ｂに分かれて前記ジョイント５０側の洗浄水出口５２ａ，５２ｂに接続されている。
【００４５】
また、図４において、５７は前記の途中で分岐されて各ジョイント５０に接続されたパイプ５４に備えられている電磁弁、５８ａ，５８ｂは前記の途中で分岐されて各ジョイント５０に接続されたパイプ５５ａ，５５ｂにそれぞれ備えられている電磁弁、５９は前記の途中で分岐されて各ジョイント５０に接続されたパイプ５６に備えられている電磁弁、である。
【００４６】
本実施形態２では、各レシーバー部に備えられた排泄センサからの各要介護者による排便又は排尿の開始を知らせる信号が、前記吸引タンクユニット本体４１又はナース・ステーションなどの事務室に備えられたコンピュータにより構成される制御部に、送信される。すると、この制御部が前記の各電磁弁５７，５８ａ，５８ｂ，５９をそれぞれ所定のタイミングで開閉させて、各要介護者毎に、その排泄物の吸引、洗浄水の供給、乾燥用空気の供給などを行う。
【００４７】
以上のように、本実施形態２では、各施設に一箇所又は数箇所だけ備えられた大型の吸引タンクユニット本体４１に排泄物の排泄物タンクや洗浄水タンクなどを備えるようにしているので、個々の要介護者毎に排泄物タンクや洗浄水タンクなどを備える場合と比較して、装置の設置や保守にかかるトータル・コストを大幅に低減させることができる。
【００４８】
以上、本発明の各実施形態について説明したが、本発明はこれらに限定されるものではなく、様々な変更が可能である。例えば、前記実施形態２の排泄物集中処理システムにおいては、乾燥用空気を供給する手段も施設の１箇所又は数箇所に備えられた吸引タンクユニット本体４１に備えるようにしているが、本発明では、乾燥用空気を供給する手段は、各要介護者毎に又は数人の要介護者が存在している部屋毎に、備えるようにしてもよい。
【００４９】
また、前記の実施形態１では、目詰まりセンサ１３を排泄物タンク３とブロワモータ８との間のパイプ１４に備えるようにしているが、本発明では、目詰まりセンサ１３を排泄物タンク３とレシーバー部１との間のパイプ４に備えるようにし、このパイプ４の目詰まりを示す信号を制御部２０に送信するようにしてもよい。
【００５０】
また、前記の実施形態１では、制御部２０に介護者などが指示情報を入力するためのものとしてリモコン２１を備えるようにしているが、本発明では、リモコン２１に代えて、制御盤を装置本体２６に備えるようにしてもよい。
【００５１】
【発明の効果】
以上に説明したように、本発明の排泄物自動回収処理装置によれば、一日又は所定単位時間中での要介護者の排便又は排尿の回数を計測し記録すること、及び、各排便又は排尿による排泄物の重量を計測し記録することを可能にしているので、介護者や医療担当者などは、それらの回数や重量に基づいて要介護者の健康状態を分析することなどが可能になる。
【００５２】
また、本発明の排泄物自動回収処理装置では、乾燥用空気を洗浄水の供給用パイプに供給することにより、洗浄水の供給用パイプ中に残留している洗浄水を押し出すようにしているので、排便又は排尿の処理を行うときに前記パイプの中に残留している冷たい洗浄水が供給されてしまい要介護者に不快感を与えてしまうことを防止することができる。
【００５３】
また、本発明の排泄物自動回収処理装置では、排泄物を排泄物タンクに吸引するとき、途中の吸引用パイプに目詰まりが発生したら、そのことを検出してその場又は遠隔に居る介護者などに警報を発するようにしているので、従来のように吸引用パイプに目詰まりが発生したためにレシーバー部から排泄物が漏れ出てしまうという不都合を回避することができる。
【００５４】
また、本発明の排泄物自動回収処理装置においては、介護者などが前記蓄積タンクを本体から引き出して内部の排泄物を外部に排出させる作業を行うとき、ワンタッチ操作により底部の穴を開放させてそこから排泄物を排出できるようにしたので、排泄物タンクから排泄物を排出する作業を行うときに作業者の手などが汚れてしまうことを防止することができる。
【００５５】
さらに、本発明の排泄物集中処理システムによれば、個々の要介護者毎にそれぞれ排泄物タンク又は洗浄水タンクなどを備えておく必要がなくなるので、特に要介護者の数が多い施設での排泄物自動回収処理のための装置の設置及び保守のトータル・コストを大幅に低減させることができるようになる。
【図面の簡単な説明】
【図１】本発明の実施形態１による排泄物自動回収処理装置の構成の概略を示すブロック図。
【図２】本実施形態１における排泄物の排泄物タンクの構成の一例を示す図。
【図３】本発明の実施形態２による排泄物集中処理システムの構成を示す概略図。
【図４】本実施形態２による排泄物集中処理システムの構成を示す概略図。
【符号の説明】
１，４３ａ，４３ｂ，４３ｃレシーバー部
２  排泄センサ
３  排泄物タンク
４，６ａ，６ｂ，７，１４，１５，１７，５４，５５，５５ａ，５５ｂ，５６  パイプ
５ｂ  サーミスタ
５ｃ  ヒータ
５ａ  フロートスイッチ
５  洗浄水タンク
８  ブロワモータ
９，１０ａ，１０ｂ，１８，５７，５８ａ，５８ｂ，５９  電磁弁
１１，１２  重量計
１３  目詰まりセンサ
２０  制御部
２１  リモコン
２３  遠隔表示器
２４  記録装置
２６  計時部
２７  装置本体
３３  穴
３４  栓
３５  取っ手
３６  支持部
３６ａ  支点
３７  支持棒
３８  スプリング
４１  吸引タンクユニット本体
４４  パイプ状通路
４５  壁
５０  ジョイント
５１  吸込口
５２ａ，５２ｂ  洗浄水出口
５３  乾燥用空気出口
【図１】
2004329715.tif 000003
【図２】
2004329715.tif 000004
【図３】
2004329715.tif 000005
【図４】
2004329715.tif 000006